(57)【特許請求の範囲】
【請求項１】
口頸部２を起立する容器体Ａと、
上記口頸部２上面を閉塞する頂壁から、口頸部２外面へ嵌合させる内周壁３を、又頂壁外周部から外周壁５を、これら両周壁間に説明書等挿入間隙６をおいてそれぞれ垂下するキャップ本体Ｂと、
上記内周壁３と外周壁５との間の下端開口面を、上記口頸部２外径より大径の口頸部挿通孔１７を有する鍔状板１８で閉塞させると共に、該鍔状板から内外嵌合筒１９、２０を起立して、該内嵌合筒１９を上記内周壁３の下部外面へ、又外嵌合筒２０を上記外周壁５の下部内面へ、それぞれ着脱自在に嵌合させた裏蓋Ｄとを有する、
ことを特徴とするキャップ付き容器。
【請求項２】
口頸部２を起立する容器体Ａと、
上記容器体口頸部外面へ嵌合させた内周壁３上端から外向きフランジ４を介して外周壁５を、これら両周壁間に説明書等挿入間隙６をおいて垂設すると共に、内周壁３上端から内向きフランジ７を突設して、該内向きフランジのフランジ孔内縁から注出筒８を起立したキャップ本体Ｂと、
上記キャップ本体外周壁５の上端部の一部に、肉薄ヒンジ１１を介して上面閉塞の蓋筒１２の少なくとも筒壁下端部の一部を連結すると共に、該蓋筒の頂板１４中央部下面から栓筒１６を垂設して、該栓筒で上記注出筒８を着脱自在に閉塞させた上蓋Ｃと、
上記内周壁３と外周壁５との間の下端開口面を、上記口頸部２外径より大径の口頸部挿通孔１７を有する鍔状板１８で閉塞させると共に、該鍔状板から内外嵌合筒１９、２０を起立して、該内嵌合筒１９を上記内周壁３の下部外面へ、又外嵌合筒２０を上記外周壁５の下部内面へ、それぞれ着脱自在に嵌合させた裏蓋Ｄとを有する、
ことを特徴とするキャップ付き容器。
【請求項３】
上記裏蓋Ｄの鍔状板１８の外周部の一部を、肉薄ヒンジ２１を介して上記キャップ本体外周壁５の下端一部へ連結した、
ことを特徴とする請求項１又は２記載のキャップ付き容器。
【発明の詳細な説明】
【０００１】
【発明の属する技術分野】
本発明は化粧品や薬品等を入れる容器を閉栓するキャップを備えたキャップ付き容器に関する。
【０００２】
【従来の技術】
化粧品容器や薬品容器等は一般に外箱で包装された状態で出荷されている。
【０００３】
【発明が解決しようとする課題】
環境保全の観点からゴミを減らすことが求められており、その一環として外箱をなくすことが考慮されているが、外箱は使用説明書等を収納する役割をも有するものであるため、外箱をまったく使用しないことは困難であった。
【０００４】
請求項１記載のキャップ付き容器は、キャップ本体に説明書等挿入間隙を形成することにより、外箱を不要にしようとするものである。
【０００５】
請求項２記載のキャップ付き容器は、説明書等挿入間隙を形成したキャップ本体に注出筒を形成すると共に、この注出筒を閉塞する上蓋を設けることにより、外箱をなくす同時に、内容物の注出を容易にしようとするものである。
【０００６】
請求項３記載のキャップ付き容器は、上記請求項１又は２記載のキャップ付き容器が有する解決課題を有するほか、裏蓋を、肉薄ヒンジを介してキャップ本体へ連結することにより、裏蓋のキャップ本体への嵌合を容易にしようとするものである。
【０００７】
【課題を解決するための手段】
第１の手段として、口頸部２を起立する容器体Ａと、
上記口頸部２上面を閉塞する頂壁から、口頸部２外面へ嵌合させる内周壁３を、又頂壁外周部から外周壁５を、これら両周壁間に説明書等挿入間隙６をおいてそれぞれ垂下するキャップ本体Ｂと、
上記内周壁３と外周壁５との間の下端開口面を、上記口頸部２外径より大径の口頸部挿通孔１７を有する鍔状板１８で閉塞させると共に、該鍔状板から内外嵌合筒１９、２０を起立して、該内嵌合筒１９を上記内周壁３の下部外面へ、又外嵌合筒２０を上記外周壁５の下部内面へ、それぞれ着脱自在に嵌合させた裏蓋Ｄとを有する。
【０００８】
第２の手段として、口頸部２を起立する容器体Ａと、
上記容器体口頸部外面へ嵌合させた内周壁３上端から外向きフランジ４を介して外周壁５を、これら両周壁間に説明書等挿入間隙６をおいて垂設すると共に、内周壁３上端から内向きフランジ７を突設して、該内向きフランジのフランジ孔内縁から注出筒８を起立したキャップ本体Ｂと、
上記キャップ本体外周壁５の上端部の一部に、肉薄ヒンジ１１を介して上面閉塞の蓋筒１２の少なくとも筒壁下端部の一部を連結すると共に、該蓋筒の頂板１４中央部下面から栓筒１６を垂設して、該栓筒で上記注出筒８を着脱自在に閉塞させた上蓋Ｃと、
上記内周壁３と外周壁５との間の下端開口面を、上記口頸部２外径より大径の口頸部挿通孔１７を有する鍔状板１８で閉塞させると共に、該鍔状板から内外嵌合筒１９、２０を起立して、該内嵌合筒１９を上記内周壁３の下部外面へ、又外嵌合筒２０を上記外周壁５の下部内面へ、それぞれ着脱自在に嵌合させた裏蓋Ｄとを有する。
【０００９】
第３の手段として、上記第１の手段又は第２の手段を有すると共に、上記裏蓋Ｄの鍔状板１８の外周部の一部を、肉薄ヒンジ２１を介して上記キャップ本体外周壁５の下端一部へ連結した。
【００１０】
【発明の実施の形態】
図１及び図２は請求項２及び３記載の発明に係るキャップ付き容器を示す。
Ａは容器体で、周壁１上端部から肩部を介して口頸部２を起立して、該口頸部外面に雄ねじを形成する。
【００１１】
Ｂはキャップ本体で、内面に雌ねじを有する内周壁３を容器体口頸部２外面へ螺合させると共に、内周壁上端から外向きフランジ４を突設して、該外向きフランジ外周部から外周壁５を垂設する。この内周壁３と外周壁５との間隙は化粧品や薬品等の容器体内容物の説明書等を挿入する説明書等挿入間隙６を形成するものであり、従って、この間隙の径方向の寸法は説明書等の嵩に応じて適宜決定する。
【００１２】
さらに、内周壁３上端から内向きフランジ７を突設して、該内向きフランジのフランジ孔内縁から、該フランジ孔径より小径でかつ軸線が口頸部２軸線より前方へ偏心した注出筒８を起立し、また、内向きフランジ７のフランジ孔内縁から軸線が口頸部２軸線と一致した環状突起９を突設する。
【００１３】
図１及び図２では上記の如く注出筒８を設けているが、これに限らず請求項１記載のように、口頸部２上面を図示しない頂壁で閉塞させ、かつ、該頂壁から口頸部２外面へ嵌合させる内周壁３を、また、頂壁外周部から外周壁５を、それぞれ垂下することもできる。
そして、この場合には後述の上蓋Ｃは不要であり、注出に際してはキャップ本体Ｂを口頸部２から螺脱させる。
【００１４】
Ｃは上蓋で、キャップ本体外周壁５の後部上端に、左右一対の第１及び第２肉薄ヒンジ１１を介して上面閉塞の蓋筒１２の筒壁後部下端を連結すると共に、キャップ本体外周壁５の後部上端部に、第１及び第２肉薄ヒンジ１１間に位置し、かつ両端を肉薄ヒンジを形成した弾性帯１３を介して蓋筒１２の頂板１４後部を連結させる。
【００１５】
これら第１及び第２肉薄ヒンジ１１と弾性帯１３とは弾性反転可能な３点ヒンジを形成するが、これに限らず弾性帯１３を省略して、第１及び第２肉薄ヒンジ１１だけで蓋筒１２を外周壁５へ連結させることもできる。
さらに、蓋筒１２の頂板１４中央部下面から環状係合突起１５を突設すると共に、該環状係合突起の外周から栓筒１６を垂設して、該栓筒を注出筒８外面へ着脱自在に嵌合させると共に、環状係合突起１５を注出筒８上端内面へ離脱自在に係合させる。
【００１６】
Ｄは裏蓋で、内周壁３と外周壁５との間隙が形成する説明書等挿入間隙６の下端面を、口頸部２外径より大径の口頸部挿通孔１７を有する鍔状板１８で閉塞させる。そして、口頸部挿通孔１７外縁から内嵌合筒１９を、また、鍔状板１８の外周部から外嵌合筒２０を、それぞれ起立して、内嵌合筒１９を内周壁３の下端部外面へ、また、外嵌合筒２０を外周壁５の下端部内面へ、それぞれ着脱自在に嵌合させると共に、内周壁３下端面を鍔状板１８上面の口頸部挿通孔１７外縁へ当接させる。
【００１７】
さらに、請求項３記載のように、鍔状板１８の前部を、図示例の如く肉薄ヒンジ２１を介して外周壁５の前部下端へ連結することもできる。
なお、２２は鍔状板１８の後部から外周壁５の後方へ突出する引っぱり摘み片、２３は説明書等挿入間隙６内へ挿入した説明書等である。
【００１８】
次に請求項２記載の発明の実施形態の作用について説明する。
図１は説明書２３がキャップ本体Ｂ内へ挿入された閉栓状態を示す。この状態から化粧品等の内容物を注出するには、上蓋Ｃを上後方へ回動させて注出筒８から離脱させればよい。
一方、説明書２３をキャップ本体Ｂから取り出すには、キャップ本体Ｂを回して口頸部２から螺脱させた後、引っぱり摘み片２２を持って裏蓋Ｄを下前方へ回動させて内外両周壁３、５から離脱させればよい。図２はキャップ本体Ｂを口頸部２から取り外した状態を示す。
【００１９】
上記と反対にキャップ本体Ｂを口頸部２へ装着させるには、図２に示す状態から裏蓋Ｄを内外両周壁３、５へ嵌合させた後、口頸部２外面へ口頸部挿通孔１７を挿通させて内周壁３を口頸部２外面へ螺合させればよい。
なお、請求項１記載のようにキャップ本体Ｂが注出筒８を有しない場合には、内容物の注出は上述のように、キャップ本体Ｂを口頸部２から螺脱させることにより行う。
【００２０】
【発明の効果】
請求項１記載のキャップ付き容器は、内外両周壁間に説明書等挿入間隙を形成したので、外箱に説明書等を収納する必要がなく、このため外箱をなくすことができゴミ削減に寄与しうることになる。
【００２１】
請求項２記載のキャップ付き容器は、説明書等挿入間隙を形成する内外周壁を備えたキャップ本体に注出筒を形成すると共に、該注出筒を閉塞する上蓋を設けたので、外箱をなくすことが可能になると共に、化粧品等の内容物の注出が容易になる。
【００２２】
請求項３記載のキャップ付き容器は、裏蓋を、肉薄ヒンジを介してキャップ本体へ連結したので、裏蓋のキャップ本体への嵌合が容易迅速に行える。
【図面の簡単な説明】
【図１】請求項２記載の発明に係るキャップ付き容器の閉栓状態を示す断面図。
【図２】同じく、説明書等を取り出した状態を示すキャップ本体の断面図。
【符号の説明】
１  周壁
２  口頸部
３  内周壁
４  外向きフランジ
５  外周壁
６  説明書等挿入間隙
７  内向きフランジ
８  注出筒
１１  肉薄ヒンジ
１２  蓋筒
１４  頂板
１６  栓筒
１７  口頸部挿通孔
１８  鍔状板
１９  内嵌合筒
２０  外嵌合筒
２１  肉薄ヒンジ
Ａ  容器体
Ｂ  キャップ本体
Ｃ  上蓋
Ｄ  裏蓋
【図１】
0003761121.tif 000002
【図２】
0003761121.tif 000003